(57)【要約】  本発明は、電子ペンを用いる情報の入力及び伝送が可能な携帯機器並びに電子ペンを用いる情報の入力及び伝送方法に関し、特に、電子ペンを用いてイメージデータを作成して伝達したり、キーパッドなしに数字、テキストなどを入力する、電子ペンを用いる情報の入力及び伝送が可能な携帯機器並びにその方法に関する。
2009524873.tif 000002
【特許請求の範囲】
【請求項１】
電子ペンを用いる情報入力が可能な携帯機器であって；
ディスプレイ部；
第１の基準信号を送信する第１の基準信号送信部と、前記第１の基準信号より進行速度が遅い第２の基準信号を送信する第２の基準信号送信部とを有する電子ペン；
前記第１の基準信号を受信する第１の基準信号受信部と、前記第２の基準信号を受信する少なくとも２つの第２の基準信号受信部と、受信された第２の基準信号及び既知の送信された第２の基準信号に対する畳み込み演算を行った結果から得られた信号に対してゼロ交差分析を行って第２の基準信号の受信時間を演算する第２の基準信号処理部と、前記第１の基準信号及び前記第２の基準信号の受信時間を基に前記電子ペンの位置を判断してイメージデータを生成するデータ処理部とを有する情報入力部；
前記データ処理部で生成された前記イメージデータを受信して前記ディスプレイ部に表示する制御部；及び
移動体通信基地局と無線接続して前記イメージデータを送受信する無線送受信部；
を備えてなることを特徴とする携帯機器。
【請求項２】
前記第２の基準信号処理部は、
受信された第２の基準信号を増幅する第１の増幅部；
第１の増幅部の出力信号から高周波成分を含むノイズ成分を一次的に除去するアナログフィルタ部；
アナログフィルタ部の出力信号を増幅する第２の増幅部；
第２の増幅部の出力信号をアナログ信号からディジタル信号へ変換するＡＤコンバータ部；
畳み込み演算を行う畳み込み演算部；及び
畳み込み演算部の出力信号に対してゼロ交差分析を行って第２の基準信号の受信時間を演算する受信時間演算部；
を備えてなることを特徴とする請求項１に記載の携帯機器。
【請求項３】
前記データ処理部は、前記ディスプレイ部の上で移動する前記電子ペンの位置を判断してイメージデータを生成することを特徴とする請求項１に記載の携帯機器。
【請求項４】
前記データ処理部は、前記電子ペンの移動経路のサイズと前記ディスプレイ部に表示されるイメージデータのサイズとが１：１対応するように前記イメージデータを生成することを特徴とする請求項３に記載の携帯機器。
【請求項５】
前記制御部によって前記イメージデータが格納及び出力されるメモリ部をさらに備えることを特徴とする請求項１に記載の携帯機器。
【請求項６】
前記制御部は、前記メモリ部に格納された基本イメージデータを前記ディスプレイ部に表示し、前記ディスプレイ部に表示された前記基本イメージに対して、前記電子ペンから入力されて前記データ処理部で生成されたイメージデータを前記基本イメージデータにマッピングすることを特徴とする請求項５に記載の携帯機器。
【請求項７】
前記制御部は、前記イメージデータがマッピングされた前記基本イメージデータを前記メモリ部に格納し、前記無線送受信部を通じて前記移動体通信基地局に送信することを特徴とする請求項６に記載の携帯機器。
【請求項８】
被写体の映像を光電変換して基本イメージデータを形成して前記制御部に伝送する撮像部をさらに備えることを特徴とする請求項１に記載の携帯機器。
【請求項９】
前記制御部は、前記メモリ部内の前記マッピングされたイメージデータを前記ディスプレイ部に出力して表示し、表示された前記マッピングされたイメージデータを修正、削除又は追加してから前記メモリ部に再度格納することを特徴とする請求項７に記載の携帯機器。
【請求項１０】
前記制御部は、前記メモリ部に格納されたイメージデータを前記ディスプレイ部に出力して表示し、表示された前記イメージデータを修正、削除又は追加してから前記メモリ部に再度格納することを特徴とする請求項５に記載の携帯機器。
【請求項１１】
前記制御部は、前記データ処理部で生成されたイメージデータを連続的に受信して前記ディスプレイ部に表示する過程において、前記ディスプレイ部の画面が他の機能によって転換する場合、前記ディスプレイ部の画面転換時まで生成された前記イメージデータを前記メモリ部に格納することを特徴とする請求項５に記載の携帯機器。
【請求項１２】
前記第１の基準信号は、赤外線信号又はＲＦ信号のいずれか１つであることを特徴とする請求項１に記載の携帯機器。
【請求項１３】
前記第２の基準信号は、超音波信号であることを特徴とする請求項１に記載の携帯機器。
【請求項１４】
電子ペンを用いる情報の入力及び伝送方法であって、
電子ペンを駆動して第１の基準信号及び少なくとも２つの第２の基準信号を送信するステップ；
受信された第２の基準信号及び既知の送信された第２の基準信号に対する畳み込み演算を行った結果から得られた信号に対してゼロ交差分析を行って第２の基準信号の受信時間を演算するステップ；
前記第１の基準信号及び前記第２の基準信号の受信時間から前記電子ペンの位置を判断してイメージデータを生成するステップ；
前記イメージデータを伝送されてディスプレイ部に表示するステップ；及び
前記イメージデータを移動体通信基地局に無線伝送するステップ；
を含むことを特徴とする情報の入力及び伝送方法。
【請求項１５】
前記第２の基準信号の受信時間を演算するステップは、
受信された第２の基準信号を増幅するステップ；
増幅された信号から高周波成分を含むノイズ成分を一次的に除去するステップ；
ノイズ成分が除去された信号を増幅するステップ；
増幅された信号をアナログ信号からディジタル信号へ変換するステップ；
畳み込み演算を行うステップ；及び
畳み込み演算で得られた信号に対してゼロ交差分析を行って第２の基準信号の受信時間を演算するステップ；
を含むことを特徴とする請求項１４に記載の情報の入力及び伝送方法。
【請求項１６】
前記イメージデータは、ディスプレイ部の上で移動する前記電子ペンの位置を判断することで生成されることを特徴とする請求項１４に記載の情報の入力及び伝送方法。
【請求項１７】
前記イメージデータを生成するステップは、前記電子ペンの移動経路のサイズと前記ディスプレイ部に表示されるイメージデータのサイズとが１：１対応するように前記イメージデータを生成するステップを含むことを特徴とする請求項１６に記載の情報の入力及び伝送方法。
【請求項１８】
前記イメージデータをメモリ部に格納するステップをさらに含むことを特徴とする請求項１４に記載の情報の入力及び伝送方法。
【請求項１９】
前記メモリ部に格納された基本イメージデータを前記ディスプレイ部に表示するステップ；
前記ディスプレイ部に表示された前記基本イメージに対して、前記電子ペンから入力されて前記データ処理部で生成されたイメージデータを前記基本イメージデータにマッピングするステップ；
をさらに含むことを特徴とする請求項１８に記載の情報の入力及び伝送方法。
【請求項２０】
撮像部を通じて被写体の映像を光電変換して基本イメージデータを生成し、生成された基本イメージデータを前記メモリ部に格納するステップ；
前記基本イメージデータを前記ディスプレイ部に表示するステップ；及び
前記ディスプレイ部に表示された前記基本イメージに対して、前記電子ペンから入力されて前記データ処理部で生成されたイメージデータを前記基本イメージデータにマッピングするステップ；
をさらに含むことを特徴とする請求項１８に記載の情報の入力及び伝送方法。
【請求項２１】
前記マッピングされたイメージデータを前記メモリ部に格納するステップ；
前記無線送受信部を通じて前記マッピングされたイメージデータを前記移動体通信基地局に伝送するステップ；
をさらに含むことを特徴とする請求項１９又は２０に記載の情報の入力及び伝送方法。
【請求項２２】
前記メモリ部に格納されたイメージデータを前記ディスプレイ部に表示するステップ；
表示された前記イメージデータを修正、削除又は追加するステップ；及び
修正、削除又は追加されたイメージデータを前記メモリ部に再度格納するステップ；
をさらに含むことを特徴とする請求項１８に記載の情報の入力及び伝送方法。
【請求項２３】
前記データ処理部で生成されたイメージデータを連続的に受信して前記ディスプレイ部に表示する過程において、前記ディスプレイ部の画面が他の機能によって転換する場合、前記ディスプレイ部の画面転換時まで生成された前記イメージデータを前記メモリ部に格納するステップをさらに含むことを特徴とする請求項１８に記載の情報の入力及び伝送方法。
【請求項２４】
電子ペンを用いる情報入力が可能な携帯機器であって、
ディスプレイ部；
第１の基準信号を送信する第１の基準信号送信部と、前記第１の基準信号より進行速度が遅い第２の基準信号を送信する第２の基準信号送信部とを有し、前記ディスプレイ部の上で移動しながら情報を入力する電子ペン；
前記第１の基準信号を受信する第１の基準信号受信部と、前記第２の基準信号を受信する少なくとも２つの第２の基準信号受信部と、受信された第２の基準信号及び既知の送信された第２の基準信号に対する畳み込み演算を行った結果から得られた信号に対してゼロ交差分析を行って第２の基準信号の受信時間を演算する第２の基準信号処理部と、前記第１の基準信号及び前記第２の基準信号の受信時間に基づいて前記電子ペンの位置を判断してイメージデータを生成するデータ処理部とを有する情報入力部；及び
前記データ処理部で生成された前記イメージデータを受信して前記ディスプレイ部に表示する制御部；
を備えてなることを特徴とする携帯機器。
【請求項２５】
前記第２の基準信号処理部は、
受信された第２の基準信号を増幅する第１の増幅部；
第１の増幅部の出力信号から高周波成分を含むノイズ成分を一次的に除去するアナログフィルタ部；
アナログフィルタ部の出力信号を増幅する第２の増幅部；
第２の増幅部の出力信号をアナログ信号からディジタル信号へ変換するＡＤコンバータ部；
畳み込み演算を行う畳み込み演算部；及び
畳み込み演算部の出力信号に対してゼロ交差分析を行って第２の基準信号の受信時間を演算する受信時間演算部；
を備えてなることを特徴とする請求項２４に記載の携帯機器。
【請求項２６】
前記第１の基準信号は、赤外線信号又はＲＦ信号のいずれか１つであることを特徴とする請求項２４に記載の携帯機器。
【請求項２７】
前記第２の基準信号は、超音波信号であることを特徴とする請求項２４に記載の携帯機器。
【請求項２８】
前記イメージデータ内の四角形ボックスを認識するボックス認識部；
前記ボックス認識部で認識された四角形ボックス内の特定記号を認識する記号認識部；及び
前記制御部の命令によって前記ディスプレイ部の上で前記電子ペンを用いる入力機能を行うアプリケーション部；
をさらに備え、前記制御部は、前記記号認識部で特定記号が認識された場合、予め決められた対応関係に応じて前記特定記号に対応する入力機能を行うように前記アプリケーション部を制御することを特徴とする請求項２４に記載の携帯機器。
【請求項２９】
前記特定記号は、三角形、四角形、丸、Ｘ、星の形状を含む手書きの図形又は記号のいずれか１つであることを特徴とする請求項２８に記載の携帯機器。
【請求項３０】
前記入力機能は、前記四角形ボックス内で行われることを特徴とする請求項２９に記載の携帯機器。
【請求項３１】
前記アプリケーション部が行う前記入力機能は、数字入力機能、テキスト入力機能、自由入力機能、電子辞書入力機能又は計算機入力機能のいずれか１つであることを特徴とする請求項２８に記載の携帯機器。
【請求項３２】
電子ペンを用いる情報入力方法であって、
電子ペンをディスプレイ部の上で駆動して第１の基準信号及び少なくとも２つの第２の基準信号を送信するステップ；
受信された第２の基準信号及び既知の送信された第２の基準信号に対する畳み込み演算を行った結果から得られた信号に対してゼロ交差分析を行って第２の基準信号の受信時間を演算するステップ；
前記第１の基準信号及び前記第２の基準信号の受信時間から前記電子ペンの位置を判断してイメージデータを生成するステップ；及び
前記イメージデータを伝送されてディスプレイ部に表示するステップ；
を含むことを特徴とする情報入力方法。
【請求項３３】
前記第２の基準信号の受信時間を演算するステップは、
受信された第２の基準信号を増幅するステップ；
増幅された第２の基準信号から高周波成分を含むノイズ成分を一次的に除去するステップ；
ノイズ成分が除去された信号を増幅するステップ；
増幅された信号をアナログ信号からディジタル信号へ変換するステップ；
畳み込み演算を行うステップ；及び
畳み込み演算で得られた信号に対してゼロ交差分析を行って第２の基準信号の受信時間を演算するステップ；
を含むことを特徴とする請求項３２に記載の情報入力方法。
【請求項３４】
前記イメージデータ内の四角形ボックスを認識するステップ；
前記四角形ボックス内の特定記号を認識するステップ；
前記四角形ボックス内の特定記号が認識された場合、予め決められた対応関係に応じて前記特定記号に対応する入力機能を活性化するステップ；及び
前記ディスプレイ部の上で前記電子ペンを用いる前記入力機能を行うステップ；
をさらに含むことを特徴とする請求項３２に記載の情報入力方法。
【請求項３５】
前記特定記号は、三角形、四角形、丸、Ｘ、星の形状を含む手書きの図形又は記号のいずれか１つであることを特徴とする請求項３４に記載の情報入力方法。
【請求項３６】
前記入力機能は、前記四角形ボックス内で行われることを特徴とする請求項３５に記載の情報入力方法。
【請求項３７】
前記入力機能は、数字入力機能、テキスト入力機能、自由入力機能、電子辞書入力機能又は計算機入力機能のいずれか１つであることを特徴とする請求項３４に記載の情報入力方法。
【発明の詳細な説明】
【技術分野】
【０００１】
本発明は、電子ペンを用いる情報の入力及び伝送が可能な携帯機器並びに電子ペンを用いる情報の入力及び伝送方法に関し、特に、電子ペンを用いてイメージデータを作成して伝達したり、キーパッドなしに数字、テキストなどを入力する、電子ペンを用いる情報の入力及び伝送が可能な携帯機器並びにその方法に関する。
【背景技術】
【０００２】
携帯機器は、ＰＤＡ、携帯用マルチメディアプレイヤー（ＰＭＰ）、携帯電話、スマートフォンなどのように使用者が自由に移動しながらさまざまな機能を行う情報処理装置である。
【０００３】
特に、携帯電話のような移動通信用携帯機器では、移動通信システムのサービス領域内で自由に移動しながら移動体通信基地局を通じていつでもどこでも希望の相手方と直に無線接続して通信を行うことが可能である。このような移動通信用携帯機器は、携帯しやすく、自由な通信が可能であるため、その使用が一般化しつつある。これに加えて、最近は、単なる通話機能のような基本的なサービスの他に、メモ作成、文字メッセージ伝送、写真撮影などの各種付加サービスの持続的な開発が行われている。
【０００４】
その中でも、ＰＤＡ、電子手帳などのような携帯機器におけるメモ作成機能は、紙、筆記具などを常に持ち歩くことなく、突然のメモ、書き留めておきたいメモ、記憶すべきメモなどをいつでもどこでも作成することができるという点、モバイルメッセージ伝送サービスは、文字、記号、数字、エモティコンなどを作成して移動体通信基地局を通じて指定された相手方に伝達することで、発信者が作成した内容を簡単でかつ速やかに伝達することが可能であるという点から、多く使用されている。
【０００５】
しかし、既存の携帯機器においてメモを作成したりテキストメッセージを作成するためには、まず、各種のファンクションキーを操作してメモ作成又は文字メッセージモードに入った後、多数のボタンキーを使用して内容を作成してから格納又は伝送するステップを経る必要がある。従って、比較的短い内容のショートメッセージを作成する場合にも複雑なステップを経ながら多数のボタンキーを押す必要があって不便で、作成時間が多くかかるという問題点がある。また、作成できる文字又は記号は、携帯機器に格納されているものに限定されるため、発信者が希望する様々な情報を自由に表現することができず、発信者固有の個性的な表現ができないという問題点がある。
【発明の開示】
【発明が解決しようとする課題】
【０００６】
従って、本発明の目的は、携帯機器において、メモ作成又はメッセージ作成モードに入った後、ペンを用いてあたかも筆記するように内容を作成してから格納・伝送することによって、入力が簡単でかつ作成時間を短縮することができる、電子ペンを用いる情報の入力及び伝送が可能な携帯機器並びにその方法を提供することにある。
【０００７】
本発明の他の目的は、携帯機器に予め格納されたフォント又はフォーマットに関係なく、自然な筆記状態そのままで様々な文字又は記号を自由に表現できるという、電子ペンを用いる情報の入力及び伝送が可能な携帯機器並びにその方法を提供することにある。
【０００８】
本発明のまた他の目的は、既に格納されている基本イメージデータ又は携帯機器についたカメラで生成された基本イメージデータに電子ペンを用いて内容を追加することで新しいイメージデータを作成・伝送することができる、電子ペンを用いる情報の入力及び伝送が可能な携帯機器並びにその方法を提供することにある。
【０００９】
本発明のさらに他の目的は、文字又は数字を入力するキーパッドを使用することなく様々な入力機能を行うことができる、携帯機器及び情報入力方法を提供することにある。
【課題を解決するための手段】
【００１０】
本発明において、定義されていない全ての用語は、本発明が属する技術分野で通用される通常の意味で使用されているが、下記の用語については、本発明の内容を明確化するため、次のように定義する。
【００１１】
１）本発明において「情報の入力」とは、従来の携帯機器において、多数のボタンを用いる文字・数字・記号の入力方式に加えて、電子ペンを用いる筆記方式で文字・数字・記号を入力することを含む意味である。
【００１２】
２）本発明において「イメージデータ」とは、電子ペンの位置追跡を通じてデータ処理部で生成された電子ペンの移動経路が含まれているデータを意味し、従来の携帯機器においての文字・数字・記号などのテキストデータでなく、イメージフォーマットのデータを意味する。なお、イメージフォーマットは、ビットマップイメージ、ベクターイメージなど、イメージを表現できる全てのイメージフォーマットを含む意味である。
【００１３】
３）本発明において「基本イメージデータ」とは、(1)携帯機器のメモリ部に既に格納されている案内図、写真などのようなイメージファイル、(2)携帯機器についた撮像部で新しく生成された写真ファイル、(3)電子ペンで作成されてメモリ部に格納されている既存のイメージデータを含む意味である。
【００１４】
４）本発明において「マッピング」とは、前述した基本イメージデータに、電子ペンで作成した新しいイメージデータが対応して追加されることを意味する。例えば、案内図ファイルを基本イメージデータとする場合、電子ペンで目的地を表示したり、電話番号を書き込み（イメージデータ）したりすると、新しいイメージデータが基本イメージデータに対応する位置に追加されて表示されることを意味する。
【００１５】
本発明によれば、ディスプレイ部；第１の基準信号を送信する第１の基準信号送信部、前記第１の基準信号より進行速度が遅い第２の基準信号を送信する第２の基準信号送信部とを有する電子ペン；前記第１の基準信号を受信する第１の基準信号受信部と、前記第２の基準信号を受信する少なくとも２つの第２の基準信号受信部と、受信された第２の基準信号及び既知の送信された第２の基準信号に対する畳み込み演算を行った結果から得られた信号に対してゼロ交差分析を行って第２の基準信号の受信時間を演算する第２の基準信号処理部と、前記第１の基準信号及び前記第２の基準信号の受信時間に基づいて前記電子ペンの位置を判断してイメージデータを生成するデータ処理部とを有する情報入力部；前記データ処理部で生成された前記イメージデータを受信して前記ディスプレイ部に表示する制御部；及び、移動体通信基地局と無線接続して前記イメージデータを送受信する無線送受信部を備えてなる、電子ペンを用いる情報の入力が可能な携帯機器が提供される。
【００１６】
前記第２の基準信号処理部は、受信された第２の基準信号を増幅する第１の増幅部；第１の増幅部の出力信号から高周波成分を含むノイズ成分を一次的に除去するアナログフィルタ部；アナログフィルタ部の出力信号を増幅する第２の増幅部；第２の増幅部の出力信号をアナログ信号からディジタル信号へ変換するＡＤコンバータ部；畳み込み演算を行う畳み込み演算部；及び畳み込み演算部の出力信号に対してゼロ交差分析を行って第２の基準信号の受信時間を演算する受信時間演算部を備えるができる。
【００１７】
前記データ処理部は、前記ディスプレイ部の上で移動する前記電子ペンの位置を判断してイメージデータを生成することができる。このような場合、前記データ処理部は、前記電子ペンの移動経路のサイズと前記ディスプレイ部に表示されるイメージデータのサイズとが１：１対応するように前記イメージデータを生成することが好ましい。
【００１８】
また、本発明に係る携帯機器は、前記制御部によって前記イメージデータが格納及び出力されるメモリ部をさらに備えることができる。
【００１９】
前記制御部は、前記メモリ部に格納された基本イメージデータを前記ディスプレイ部に表示し、前記ディスプレイ部に表示された前記基本イメージに対して、前記電子ペンから入力されて前記データ処理部で生成されたイメージデータを前記基本イメージデータにマッピングすることができる。このような場合、前記制御部は、前記イメージデータがマッピングされた前記基本イメージデータを前記メモリ部に格納し、前記無線送受信部を通じて前記移動体通信基地局に送信することができる。
【００２０】
また、本発明に係る携帯機器は、被写体の映像を光電変換して基本イメージデータを形成して前記制御部に伝送する撮像部をさらに備えることができる。
【００２１】
前記制御部は、前記メモリ部内の前記マッピングされたイメージデータを前記ディスプレイ部に出力して表示し、表示された前記マッピングされたイメージデータを修正、削除又は追加してから前記メモリ部に再度格納することができる。
【００２２】
また、前記制御部は、前記メモリ部に格納されたイメージデータを前記ディスプレイ部に出力して表示し、表示された前記イメージデータを修正、削除又は追加してから前記メモリ部に再度格納することができる。
【００２３】
前記制御部は、前記データ処理部で生成されたイメージデータを連続的に受信して前記ディスプレイ部に表示する過程において、前記ディスプレイ部の画面が他の機能によって転換する場合、前記ディスプレイ部の画面転換時まで生成された前記イメージデータを前記メモリ部に格納することができる。
【００２４】
なお、前記第１の基準信号は、赤外線信号又はＲＦ信号のいずれか１つであり、前記第２の基準信号は、超音波信号である。
【００２５】
本発明によれば、電子ペンを駆動して第１の基準信号及び少なくとも２つの第２の基準信号を送信するステップ；受信された第２の基準信号及び既知の送信された第２の基準信号に対する畳み込み演算を行った結果から得られた信号に対してゼロ交差分析を行って第２の基準信号の受信時間を演算するステップ；前記第１の基準信号及び前記第２の基準信号の受信時間から前記電子ペンの位置を判断してイメージデータを生成するステップ；前記イメージデータを伝送されてディスプレイ部に表示するステップ；及び前記イメージデータを移動体通信基地局に無線伝送するステップを含む、電子ペンを用いる情報の入力及び伝送方法が提供される。
【００２６】
前記第２の基準信号の受信時間を演算するステップは、受信された第２の基準信号を増幅するステップ；増幅された信号から高周波成分を含むノイズ成分を一次的に除去するステップ；ノイズ成分が除去された信号を増幅するステップ；増幅された信号をアナログ信号からディジタル信号へ変換するステップ；畳み込み演算を行うステップ；及び畳み込み演算で得られた信号に対してゼロ交差分析を行って第２の基準信号の受信時間を演算するステップを含むことができる。
【００２７】
前記イメージデータは、ディスプレイ部の上で移動する前記電子ペンの位置を判断することで生成されることができる。このような場合、前記イメージデータを生成するステップは、前記電子ペンの移動経路のサイズと前記ディスプレイ部に表示されるイメージデータのサイズとが１：１対応するように前記イメージデータを生成するステップを含む。
【００２８】
本発明に係る情報の入力及び伝送方法は、前記イメージデータをメモリ部に格納するステップをさらに含むことができる。このような場合、本発明に係る情報の入力及び伝送方法は、前記メモリ部に格納された基本イメージデータを前記ディスプレイ部に表示するステップ；前記ディスプレイ部に表示された前記基本イメージに対して前記電子ペンから入力されて前記データ処理部で生成されたイメージデータを前記基本イメージデータにマッピングするステップをさらに含むことができる。また、本発明に係る情報の入力及び伝送方法は、撮像部を通じて被写体の映像を光電変換して基本イメージデータを生成し、生成された基本イメージデータを前記メモリ部に格納するステップ；前記基本イメージデータを前記ディスプレイ部に表示するステップ；及び前記ディスプレイ部に表示された前記基本イメージに対して、前記電子ペンから入力されて前記データ処理部で生成されたイメージデータを前記基本イメージデータにマッピングするステップをさらに含むができる。
【００２９】
また、本発明に係る情報の入力及び伝送方法は、前記マッピングされたイメージデータを前記メモリ部に格納するステップ；前記無線送受信部を通じて前記マッピングされたイメージデータを前記移動体通信基地局に伝送するステップをさらに含むことができる。
【００３０】
また、本発明に係る情報の入力及び伝送方法は、前記メモリ部に格納されたイメージデータを前記ディスプレイ部に表示するステップ；表示された前記イメージデータを修正、削除又は追加するステップ；修正、削除又は追加されたイメージデータを前記メモリ部に再度格納するステップをさらに含むことができる。
【００３１】
また、本発明に係る情報の入力及び伝送方法は、前記データ処理部で生成されたイメージデータを連続的に受信して前記ディスプレイ部に表示する過程において、前記ディスプレイ部の画面が他の機能によって転換する場合、前記ディスプレイ部の画面転換時まで生成された前記イメージデータを前記メモリ部に格納するステップをさらに含むことができる。
【００３２】
本発明によれば、ディスプレイ部；第１の基準信号を送信する第１の基準信号送信部と、前記第１の基準信号より進行速度が遅い第２の基準信号を送信する第２の基準信号送信部とを有し、前記ディスプレイ部の上で移動しながら情報を入力する電子ペン；前記第１の基準信号を受信する第１の基準信号受信部と、前記第２の基準信号を受信する少なくとも２つの第２の基準信号受信部と、受信された第２の基準信号及び既知の送信された第２の基準信号に対する畳み込み演算を行った結果から得られた信号に対してゼロ交差分析を行って第２の基準信号の受信時間を演算する第２の基準信号処理部と、前記第１の基準信号及び前記第２の基準信号の受信時間に基づいて前記電子ペンの位置を判断してイメージデータを生成するデータ処理部とを有する情報入力部；及び、前記データ処理部で生成された前記イメージデータを受信して前記ディスプレイ部に表示する制御部を備えてなる、電子ペンを用いる情報の入力が可能な携帯機器が提供される。
【００３３】
本発明に係る携帯機器は、前記イメージデータ内の四角形ボックスを認識するボックス認識部；前記ボックス認識部で認識された四角形ボックス内の特定記号を認識する記号認識部；及び前記制御部の命令によって前記ディスプレイ部の上で前記電子ペンを用いる入力機能を行うアプリケーション部をさらに備え、前記制御部は、前記記号認識部によって特定記号が認識された場合、予め決められた対応関係に応じて前記特定記号に対応する入力機能を行うように前記アプリケーション部を制御することができる。
【００３４】
なお、前記特定記号は、三角形、四角形、丸、Ｘ、星の形状を含む手書きの図形又は記号のいずれか１つであり、また、前記入力機能は、前記四角形ボックス内で行われることができ、前記アプリケーション部が行う前記入力機能は、数字入力機能、テキスト入力機能、自由入力機能、電子辞書入力機能又は計算機入力機能のいずれか１つである。
【００３５】
本発明によれば、電子ペンをディスプレイ部の上で駆動して第１の基準信号及び少なくとも２つの第２の基準信号を送信するステップ；受信された第２の基準信号及び既知の送信された第２の基準信号に対する畳み込み演算を行った結果から得られた信号に対してゼロ交差分析を行って第２の基準信号の受信時間を演算するステップ；前記第１の基準信号及び前記第２の基準信号の受信時間から前記電子ペンの位置を判断してイメージデータを生成するステップ；及び前記イメージデータを伝送されてディスプレイ部に表示するステップを含む、電子ペンを用いる情報入力方法が提供される。
【００３６】
本発明に係る情報入力方法は、前記イメージデータ内の四角形ボックスを認識するステップ；前記四角形ボックス内の特定記号を認識するステップ；前記四角形ボックス内の特定記号が認識された場合、予め決められた対応関係に応じて前記特定記号に対応する入力機能を活性化するステップ；及び前記ディスプレイ部の上で前記電子ペンを用いる前記入力機能を行うステップをさらに含むことができる。
【００３７】
＜本発明に係る電子ペンの位置認識方式＞
図１（ａ）に示されたように、一列に配置された第２の基準信号受信部２３ａ、２３ｂ間の距離をｃ、右側の第２の基準信号受信部２３ｂから電子ペン１０までの横方向の距離をｘ、各基準信号受信部２１、２３ａ、２３ｂから電子ペン１０までの縦方向の距離をｙ、電子ペン１０から左側の第２の基準信号受信部２３ｂまでの距離をｂ、電子ペン１０から右側の第２の基準信号受信部２３ｂまでの距離をａとすると、ピタゴラスの定理によって次のような関係式が成立される。
［数１］
ａ２＝ｘ２＋ｙ２
［数２］
ｂ２＝(ｃ−ｘ)２＋ｙ２
【００３８】
図１（ｂ）に示されたように、第２の基準信号が超音波信号である場合、ａは、超音波信号の速力に、第１の基準信号が到達してから超音波信号が第２の基準信号受信部２３ｂに到達するまでの時間をかけて求めることができる。また、ｂは、同様に求めることができる。
【００３９】
従って、上記の数１及び数２において、ａ、ｂ、ｃは、既知のものであるため、この値を代入して連立方程式を解ければ、ｘ、ｙの値を求めることができる。なお、電子ペンの精密な位置認識のためには、第２の基準信号の受信時間を正確に測定する必要がある。
【００４０】
従来は、図１（ｃ）に示されたように、所定の閾値以上の超音波信号を検出することによって受信時間を測定し、この時に発生する誤差は、複数回の繰り返し測定によって経験的に補正していた。しかし、このような従来の方法では、受信された超音波信号にノイズが含まれている場合、図１（ｃ）に示されたように、実際受信時間と測定された受信時間との差（ｔｒ’−ｔｒ）が発生する。
【００４１】
本発明は、超音波信号の正確な受信時間を計算するため、従来の方式とは異なる新しい方式を使用した。送信信号の出力を高くしたり、受信信号を増幅する場合、ノイズが一緒に増幅されてしまう。このような場合、送信信号は、特徴的な周期性を維持し続けることができ、これに対して、ノイズは、送信信号が有する特徴的な周期性を継続して維持することができないという特徴がある。従って、本発明は、送信信号の特徴的な周期性を有しないノイズには反応せず、特徴的な周期性を継続して維持できる信号のみに反応する、第２の基準信号処理部を別に設けることによって、電子ペンの認識分解能を向上させている。以下、その具体的な方法について説明する。
【００４２】
まず、既知の特定周波数の正弦波送信信号と受信信号との間の畳み込み演算を行って相関性を解析することによって有効周波数成分のみを検出するディジタル信号フィルタリングを行う。すなわち、数３に示されたように、正弦波送信信号（ｓｉｎ（ｘ）、０＜ｘ＜４π）の離散信号であるＴｘ（ｋ）と受信信号の離散信号Ｒｘ（ｋ）に対して畳み込み演算を行ってディジタルフィルタリングを行う。
［数３］
Ｆ(ｋ)＝ΣｊＴＸ(ｊ)ＲＸ(ｋ＋１−ｊ)
【００４３】
次に、畳み込み演算の結果から得られる信号に対してゼロ交差分析を行って波形の特徴的な周期を検出し、特徴的な周期が一定数以上持続されている領域の最初地点を探し、その地点の受信時間を導出する。
【００４４】
このような方法を使用する第２の基準信号処理部は、分析に容易な程度のレベルで受信された第２の基準信号を増幅する第１の増幅部、第１の増幅部で増幅された信号から高周波成分を含むノイズ成分を一次的に除去するアナログフィルタ部、アナログフィルタ部から出力された信号を再度増幅する第２の増幅部、第２の増幅部から出力された信号をディジタル信号に変換するＡＤコンバータ部、畳み込み演算部及びゼロ交差分析による受信時間演算部を備えてなる。
【００４５】
前述の電子ペン位置認識方式によれば、所定の閾値以上で反応して受信時間を推定する既存の方式に比べて、同じ条件の下で約１０倍の分解能改善が可能であるという長所を持つ。
【発明の効果】
【００４６】
従って、本発明の電子ペンを用いる情報の入力及び伝送が可能な携帯機器並びにその方法によれば、発信者が、一旦メッセージモードへ進んだ後は、電子ペンを用いて字を書くように情報を入力することができるため、メモ及び文字入力が簡便であり、作成にかかる時間が短縮される。
【００４７】
また、文字の形、大きさ、スタイルに制限なく自由にメッセージを作成することができるため、メッセージにいろいろな内容を表現することができ、発信者の感情又は個性を効果的に伝達することができる。
【００４８】
また、格納されたイメージデータをさらに修正・削除・追加することができるため、携帯機器を手帳・メモ帳・単語帳・ノートとして活用でき、紙、ペンのような筆記具を持ち歩く必要がなくなり、使用者の便宜性が向上する。
【００４９】
また、通常の案内図・写真などのファイルに必要な内容を自由に追加して伝送することができるため、基本イメージデータをそのまま伝送する場合に比べ、より効果的に内容を伝達することが可能である。
【００５０】
また、電子ペンをディスプレイ部の上で移動しながら情報を入力しているため、情報入力位置を正確に選択でき、入力された情報がディスプレイ部上において拡大又は縮小表示されて情報伝達力が低下することを防止することができる。
【００５１】
また、文字、数字などを入力するキーパッドのない携帯機器においても、さまざまな入力機能を果たすことができる。
【発明を実施するための最良の形態】
【００５２】
以下、本発明の実施形態を詳細に説明する。但し、下記の実施例は、本発明の例示であって、本発明は、これらの例に限定されない。
【００５３】
＜携帯機器の実施例１＞
本発明の実施例１に係る携帯機器は、基準信号を送信する電子ペン１０と、基準信号を受信して電子ペン１０の位置を判断してイメージデータを生成する情報入力部２０と、前記イメージデータが表示されるディスプレイ部３１と、移動体通信基地局１０５と無線接続して前記イメージデータを送受信する無線送受信部３７と、制御部３５とを備えてなる。
【００５４】
なお、制御部３５によって前記イメージデータが格納及び出力されるメモリ部３９、本体ハウジング１、本体ハウジング１に設けられた第１の接続部４、情報入力部２０に設けられ、第１の接続部４に電気的に連結される第２の接続部２７のうちの少なくとも１つをさらに備えることができる。
【００５５】
以下、構成要素の詳細を説明する。
【００５６】
−電子ペン１０−
図２及び図３に示されたように、電子ペン１０は、第１の基準信号送信部１１及び第２の基準信号送信部１３を備えてなる。なお、電子ペン１０は、第１の基準信号送信部１１及び第２の基準信号送信部１３を駆動するための電源部１５をさらに備えることができる。
【００５７】
電子ペン１０は、さまざまな形状をとることができ、例えば、図３に示されたように、一般に使用される鉛筆、ボールペン又は万年筆のような形状をとることができる。
【００５８】
第１の基準信号送信部１１は、携帯機器において電子ペン１０を通じて情報入力が選択される場合、電源部１５から電源を供給されて第１の基準信号を送信する。
【００５９】
第１の基準信号は、電子ペン１０の位置を認識するための同期信号であって、いろいろな形態のものを使用することができるが、第２の基準信号よりは進行速度が速い信号とすることが好ましい。なぜならば、データ処理部２５から第１の基準信号が到達した時点から第２の基準信号が到達した時点までの時間間隙を用いて電子ペン１０の位置を認識するようになっているため、第１の基準信号は、第２の基準信号より先に情報入力部２０に到達する必要があるためである。例えば、第２の基準信号が超音波信号である場合、第１の基準信号は、超音波より進行速度が速い赤外線又はＲＦ信号とすることができる。なお、第１の基準信号送信部１１は、必要に応じて必要な個数だけ配設することができる。例えば、１個のみ配設することができ、又は、２つ以上を配設することができる。
【００６０】
第２の基準信号送信部１３は、携帯機器において電子ペン１０を通じて情報入力が選択される場合、電源部１５から電源を供給されて第２の基準信号を送信する。なお、第２の基準信号送信部１３は、少なくとも２つ設けられることが好ましい。なぜならば、電子ペン１０の位置を認識するためには、１つの第１の基準信号及び少なくとも２つの第２の基準信号が必要であるためである。第１の基準信号と第２の基準信号とを用いる電子ペン１０の位置認識方法については、前述しているため、詳細は省略する。
【００６１】
第２の基準信号は、いろいろな形態のものを使用することができるが、前述のように、第１の基準信号より進行速度が遅い信号とすることが好ましい。例えば、第１の基準信号が赤外線信号又はＲＦ信号である場合、第２の基準信号は、超音波信号とすることができる。
【００６２】
電源部１５は、第１の基準信号送信部１１及び第２の基準信号送信部１３に電源を供給して第１の基準信号及び第２の基準信号が送信されるようにする。電源部１５は、第１の基準信号送信部１１及び第２の基準信号送信部１３に常時電源を供給するか、又は、電子ペン１０を通じて情報を入力する時にのみ供給することができる。なお、後者の場合は、電子ペン１０の一側に手動で電源部１５の電源供給を印加又は遮断するためのスイッチ１８が設けられることができ、又は、電子ペン１０の先端部１７に圧力センサーが設けられ、先端部１７が紙面などに押し付けられると、電源部１５の電源供給が印加されるようにすることができる。
【００６３】
−情報入力部２０−
情報入力部２０は、図２及び図３に示されたように、第１の基準信号受信部２１、第２の基準信号受信部２３、第２の基準信号処理部２２及びデータ処理部２５を備えてなる。
【００６４】
なお、情報入力部２０は、図２及び図４に示されたように、本体ハウジング１に一体収容されることができ、図３及び図５に示されたように、本体ハウジング１とは別に配設され、本体ハウジング１に取り外し可能にすることもできる。
【００６５】
後者の場合、情報入力部２０は、第２の接続部２７と補助メモリ部２９の少なくとも１つをさらに備えることができる。
【００６６】
第１の基準信号受信部２１は、電子ペン１０の第１の基準信号送信部１１に送信された第１の基準信号を受信するためのものである。第１の基準信号受信部２１は、必要に応じて必要な個数だけ配設することができる。例えば、１つのみ配設することができ、又は、２つ以上を配設することもできる。
【００６７】
第２の基準信号受信部２３は、電子ペン１０の第２の基準信号送信部１３に送信された第２の基準信号を受信するためのものである。第２の基準信号受信部２３は、必要に応じて必要な個数だけ配設することができるが、電子ペン１０の位置追跡のために少なくとも２つ配設することが好ましい。
【００６８】
なお、第１の基準信号受信部２１及び第２の基準信号受信部２３ａ、２３ｂは、さまざまな位置に配置することができる。例えば、情報入力部２０が本体ハウジング１に一体収容される場合は、電子ペン１０からの基準信号を容易に受信できるように電子ペン１０の近くに配置することができる。また、情報入力部２０が本体ハウジング１と別に配設される場合は、図４に示されたように、別の情報入力部２０のケースに配設されることができる。
【００６９】
なお、第２の基準信号受信部２３ａ、２３ｂが２つ配設される場合は、図４及び図５に示されたように、第１の基準信号受信部２１を挟んで２つの第２の基準信号受信部２３ａ、２３ｂが両側に所定の間隙を設けて配置されることが好ましい。
【００７０】
第２の基準信号処理部２２は、受信された第２の基準信号及び既知の送信された第２の基準信号に対して畳み込み演算を行い、その演算結果から得られた信号に対してゼロ交差分析を行って第２の基準信号の受信時間を演算する。
【００７１】
データ処理部２５は、第１の基準信号と２つの第２の基準信号の受信時間を基に電子ペン１０の位置を判断してイメージデータを生成する。電子ペン１０の位置追跡方法は、前述の通りである。
【００７２】
電子ペン１０をディスプレイ部３１上で駆動してイメージデータを表示する場合、データ処理部２５は、電子ペン１０の移動経路のサイズとディスプレイ部に表示されるイメージデータのサイズとが１：１対応するようにイメージデータを生成することが好ましい。
【００７３】
すなわち、タッチパッドタイプの情報入力と同様に、電子ペン１０をディスプレイ部３１上で駆動して情報を入力すると、その通りにディスプレイ部３１に入力された情報が現れるようになり、情報入力の位置を正確に選択することが可能となる。
【００７４】
例えば、図１０（ａ）に示された案内図（案内図ファイルは、移動体通信基地局１０５を介してダウンロードしたファイルまたは撮像部７で撮った写真ファイルであって、定型的なフォーマットを有する基本イメージデータである）を伝送して発信者の位置情報を相手方に伝達しようとする場合、電子ペン１０を用いて目標地点を明確にしたり強調したりする場合、電子ペン１０をディスプレイ部３１上で移動しながら情報を入力すると、入力された情報の位置を正確に選択することができるようになる。
【００７５】
従って、正しくない情報位置によって何度も情報を入力するという必要がないため、使用者の便宜性が向上する。また、携帯機器においてタッチパッドタイプの情報入力が可能であるため、低コストでハイレベルな機能を提供することができる。
【００７６】
ケース２４は、図４及び図５に示されたように、情報入力部２０が本体ハウジング１の外部に別に配設されている場合、データ処理部２５、第１の基準信号受信部２１及び第２の基準信号受信部２３を収容する。ケース２４は、補助メモリ部２９、第２の接続部２７a、２７ｂのうちの少なくとも１つをさらに含むことができる。
【００７７】
補助メモリ部２９は、ケース２４に収容され、データ処理部２５で生成されたイメージデータを格納するためのものである。これによって、データ処理部２５で生成されたイメージデータを制御部３５に伝送することが可能となる。
【００７８】
第２の接続部２７は、情報入力部２０が本体ハウジング１の外部に別に配設される場合、本体ハウジング１に設けられた第１の接続部４に電気的に連結されるようになる。
【００７９】
第２の接続部２７は、さまざまな方式のものが使用できる。例えば、図４に示されたように、情報入力部２０と制御部３５とが有線連結される場合は、本体ハウジング１の一端に設けられたコネクター２７ａとすることができ、図５に示されたように、情報入力部２０と制御部３５とが無線連結される場合は、イメージデータが含まれた無線信号を発生する信号発生器２７ｂとすることができる。なお、前記無線信号は、ブルートゥースまたはＲＦ信号であることができる。
【００８０】
−本体部３０−
本体部３０は、本体ハウジング１内に収容される構成を総称するもので、その構成自体が技術的に大きな意味を持っているのではない。
【００８１】
本体部３０は、図２に示されたように、情報入力部２０が本体ハウジング１に一体収容される場合は、情報入力部２０を含むが、図３に示されたように情報入力部２０が別のケース２４に収容されて本体ハウジング１に取り外し可能に結合される場合は、情報入力部２０を含まないことができる。
【００８２】
ディスプレイ部３１は、本体部３０に配設され、制御部３５によってイメージデータが表示されるものである。ディスプレイ部３１のディスプレイ方式については、公知のさまざまな方式をとることができ、その詳細は省略する。
【００８３】
無線送受信部３７は、本体部３０に配設され、移動体通信基地局１０５と無線接続してイメージデータを無線送受信するものである。伝送されたイメージデータは、移動体通信基地局１０５に接続された他の端末機１０７、例えば、携帯機器、ノートパソコン、ＰＤＡなどに伝達される。
【００８４】
なお、無線送受信部３７を通じて伝送されたイメージデータは、同一移動通信事業者の移動体通信基地局１０５に接続された加入者に再度伝送されることができることはいうまでもなく、他の移動通信事業者との連動ネットワークを通じて他の移動通信加入者に伝送することもでき、移動通信ネットワークに連結されたインターネットを通じて、電子メール、インスタントメッセンジャーなどを用いてインターネットユーザーに伝送することもできる。さらに、国際接続ネットワークを通じて海外移動通信加入者及びインターネットユーザーに伝送することができる。
【００８５】
−制御部３５−
制御部３５は、データ処理部２５に接続され、イメージデータを受信してディスプレイ部３１に表示し、無線送受信部３７を通じて前記イメージデータを移動体通信基地局１０５に無線送受信するものである。制御部３５は、データ処理部２５から受信されたイメージデータをメモリ部３９に格納することもできる。
【００８６】
制御部３５は、発信者が電子ペン１０を通じて電話番号・案内図・メモ・電子メールのアドレスなどを入力して格納したり、他の端末機１０７に伝送しようとする場合は、データ処理部２５で生成されたイメージデータを受信してディスプレイ部３１に表示し、発信者の命令入力を待ってメモリ部３９に格納し、又は、無線送受信部３７を通じて移動体通信基地局１０５に伝送するようになる。
【００８７】
なお、制御部３５は、発信者が撮像部７で撮った写真にメモを書き込むか、メモリ部に格納されている案内図にメモを書き込んで格納又は伝送しようとする場合は、撮像部７から受信された基本イメージデータ又はメモリ部３９に格納された基本イメージデータをディスプレイ部３１に表示し、ディスプレイ部３１に表示された前記基本イメージデータに対して、電子ペン１０を用いて入力されたイメージデータを基本イメージデータにマッピングすることができる。その後、発信者の命令入力を待ってメモリ部３９に格納したり、無線送受信部３７を介して移動体通信基地局１０５に伝送するようになる。
【００８８】
また、制御部３５は、発信者が携帯機器を手帳・メモ帳・単語帳・ノートとして使用しようとする場合は、メモリ部３９に格納された基本イメージデータをディスプレイ部３１に表示し、表示された基本イメージデータを電子ペン１０を用いて修正、削除又は追加してメモリ部３９に再度格納することが可能である。
【００８９】
メモリ部３９は、本体部３０に配設され、制御部３５によってデータ処理部２５から送信されたイメージデータを格納又は出力するものである。メモリ部３９には、前記イメージデータを含んで、各種の電話番号データ、プログラムファイルなど、他のデータを格納できることは言うまでもない。
【００９０】
なお、メモリ部３９は、携帯機器が携帯電話である場合、使用者のボタン入力を待ってイメージデータが格納されるが、イメージデータの生成途中の電話受信などの他の機能によってディスプレイ部３１の画面が転換した場合は、画面転換前に生成されたイメージデータが制御部３５によって自動格納されるようにすることができる。従って、ディスプレイ部３１の画面が転換する場合でも、転換前に作成したイメージデータの損失を防止することができるため、使用者の便宜性が向上する。
【００９１】
−本体ハウジング１−
本体ハウジング１は、ディスプレイ部３１、無線送受信部３７、制御部３５及びメモリ部３９を収容する。なお、本体ハウジング１は、接続手段、ボタンキー８及び撮像部７の少なくとも１つをさらに含むことができる。
【００９２】
接続手段は、情報入力部２０が本体ハウジング１内に配設されず、別に配置される場合、制御部３５とデータ処理部２５とが相互電気的に連結できるように機能する。接続手段は、本体ハウジング１に設けられる第１の接続部４と、ケース２４に設けられる第２の接続部２７を含むことができる。
【００９３】
接続手段は、図４に示されたように有線方式とすることができ、図５に示されたように無線方式とすることができる。
【００９４】
接続手段が有線方式をとっている場合、図４に示されたように、第１の接続部４ａは、ケース２４が着脱される本体ハウジング１の一側に配設されることができ、第２の接続部２７ａは、これに対応するケース２７の他側に配設されることができる。これによって、データ処理部２５で生成されたイメージデータが第２の接続部２７ａと第１の接続部４ａを経て制御部３５に伝送される。
【００９５】
接続手段が無線方式をとっている場合、接続手段は、図５に示されたように、本体ハウジング１に設けられた第１の接続部４ｂと、ケース２４に設けられ、第１の接続部４ｂにイメージデータが含まれた無線信号を送信する第２の接続部２７ｂとすることができる。
【００９６】
なお、前記無線接続は、さまざまな方式をとることができ、例えば、ＲＦ信号又はブルートゥースなどの無線送受信方法を採用することができる。
【００９７】
選択キー５は、本体ハウジング１の一側に配設され、作成されたイメージデータを移動体通信基地局１０５から伝送される端末機１０７の固有ＩＤ番号を選択するためのものである。
【００９８】
選択キー５は、既に格納されている電話帳がディスプレイ部３１に出力され、これをスクロールしながら選択することができ、又は、新しい番号を入力できるように数字キーとして機能することができる。
【００９９】
伝送キー６は、作成されたイメージデータの移動体通信基地局１０５への伝送選択を行うためのものである。
【０１００】
撮像部７は、本体ハウジング１に設けられ、被写体の映像を光電変換して基本イメージデータを形成して制御部３５に伝送するように設けられている。撮像部７における光電変換方式は、公知のさまざまな方法を使用することができる。
【０１０１】
＜携帯機器の実施例２＞
本発明の実施例２に係る携帯機器は、図６に示されたように、基準信号を送信する電子ペン１０と、基準信号を受信して電子ペン１０の位置を判断してイメージデータを生成する情報入力部２０と、前記イメージデータが表示されるディスプレイ部３１と、制御部３５と、ボックス認識部１２と、記号認識部１４と、アプリケーション部１９とを備えてなる。
【０１０２】
前述の携帯機器の実施例１の構成と同じ構成については説明を省略し、実施例１の構成との差異を重点的に説明する。
【０１０３】
ボックス認識部１２は、ディスプレイ部３１に表示されたイメージ内の四角形ボックスを認識する。すなわち、ボックス認識部１２は、図１２（ａ）に示されたように、使用者が電子ペンを用いてディスプレイ部３１上に四角形ボックスを入力すると、この四角形ボックスを認識する。使用者が正しく四角形ボックスを書いて入力することが難しいため、ボックス認識部１２は、四角の形が多少変形していても四角形ボックスとして認識できるように構成される。
【０１０４】
記号認識部１４は、ボックス認識部１２で認識された四角形ボックス内の特定記号を認識する。すなわち、記号認識部１４は、図１２（ｂ）に示されたように、使用者が電子ペンを用いて四角形ボックスの内に三角形、四角形、丸、Ｘ、星などの特定記号を入力すると、この四角形ボックス内の特定記号を認識するようになる。使用者が正確な形の記号を入力することが難しいため、記号認識部１２は、記号の形が多少変形していても記号として認識できるように構成される。
【０１０５】
アプリケーション部１９は、制御部３５の命令に応じてディスプレイ部３１の四角形ボックス内で電子ペン１０を用いる入力機能を果たす。アプリケーション部１９は、図８に示されたように、数字入力アプリケーション、テキスト入力アプリケーション、自由入力アプリケーション、電子辞書入力アプリケーション、計算機入力アプリケーションを含む。四角形ボックス内の特定記号と入力機能との対応関係は、予め決定されているため、アプリケーション部１９は、記号認識部１４で認識された特定記号に対応する入力機能を果たす。数字入力アプリケーションによって電話機の数字入力ユーザインターフェースが、テキスト入力アプリケーションによってＱＷＥＲＴタイプのテキスト入力ユーザインターフェースが、自由入力アプリケーションによって自由筆記ユーザインターフェースが、電子辞書入力アプリケーションによって電子辞書ユーザインターフェースが、計算機入力アプリケーションによって計算機ユーザインターフェースが、四角形ボックス内で活性化される。
【０１０６】
従って、本発明に係る携帯機器の実施例２によれば、文字又は数字を入力するキーパッドのない携帯機器においてさまざまな入力機能を果たすことができる。
【０１０７】
図７は、図６に示された構成を有する携帯機器の正面図である。
【０１０８】
以下、本発明に係る電子ペン１０を用いる情報の入力及び伝送方法並びに情報入力方法の実施例を説明する。
【０１０９】
＜情報の入力及び伝送方法の実施例（図９）＞
図９（ａ）に示された情報の入力及び伝送方法の実施例では、電話番号、案内図、簡単なメモ、電子メールのアドレスなどを電子ペンを用いて作成した後、これを格納し、または、他の端末機に伝送することを示している。
【０１１０】
まず、本体ハウジング１の前面に設けられたファンクションキー９を操作してメッセージ入力機能を選択する（Ｓ１０）。次に、メッセージ入力モードで既存のボタンキー８を用いてメッセージを入力するか、それとも電子ペン１０を用いてメッセージを入力するかを選択する（Ｓ２０）。
【０１１１】
電子ペン１０を用いる入力方式を選択した場合、発信者が電子ペン１０のスイッチ１８を作動して電源部１５を駆動させ、又は、先端部１７を紙面に当ててメッセージを入力して圧力センサーを作動させることで第１の基準信号送信部１１及び第２の基準信号送信部１３から第１の基準信号及び第２の基準信号が送信されるようにする（Ｓ３０）。
【０１１２】
その後、受信された第２の基準信号に対して畳み込み演算及びゼロ交差分析を行うことにより、第２の基準信号の受信時間を計算する（Ｓ３５）。
【０１１３】
データ処理部２５では、第１の基準信号及び第２の基準信号の受信時間を基に電子ペン１０の位置を認識してイメージデータを生成する（Ｓ４０）。
【０１１４】
生成されたイメージデータは、制御部３５によってディスプレイ部３１に表示される（Ｓ５０）。例えば、発信者が、図１０（ｂ）に示されたように、“★同窓会一月十六日午後五時江南駅”と作成した場合、発信者の書体の形をそのままでディスプレイ部３１に表示するようになる。
【０１１５】
次に、発信者は、ファンクションキー９を操作して生成されたイメージデータをメモリ部３９に格納するかどうかを選択して格納する（Ｓ７０、Ｓ８０）。
【０１１６】
発信者がイメージデータを他人に伝送しようとする場合（Ｓ８０）は、ファンクションキー９及び選択キー５を用いて格納された電話帳から伝送先の端末機の固有ＩＤ番号を選択するか、ボタンキー８を用いて新しい固有ＩＤ番号を入力する（Ｓ９０）。
【０１１７】
最後に、伝送キー６を選択すると、イメージデータが無線送受信部３７を通じて移動体通信基地局１０５に伝送され、移動体通信基地局１０５に接続された他の端末１０７に再度送信するようになる（Ｓ１００）。
【０１１８】
なお、メモリ部３９に格納されたイメージデータをファクションキー９を用いて再度ディスプレイ部３１に表示した後、電子ペン１０を用いてメモ内容を追加したり、削除又は修正したりしてから再度格納することもできる。
【０１１９】
従って、図９（ａ）に示された情報の入力及び伝送方法によれば、発信者が一旦メッセージモードに進入した後は、電子ペン１０を用いて紙の上に字を書くように書くことで入力することができるため、メモ及び文字入力が簡便になり、作成にかかる時間が短縮される。
【０１２０】
また、文字の形、サイズ、スタイルに制限なく自由にメッセージを作成できるため、メッセージにいろいろな内容を表現し、発信者の感情又は個性を効果的に伝達することができる。
【０１２１】
また、格納されたイメージデータを再度修正・削除・追加できるため、携帯機器を手帳・メモ帳・単語帳・ノートとして活用可能であり、紙、ペンなどの筆記具を持ち歩く必要がなくなり、使用者の便宜性が向上する。
【０１２２】
また、電子ペンをディスプレイ上で移動しながら情報の入力を行う場合、入力しようとする情報の位置を正確に選択でき、入力された情報がディスプレイ部に拡大又は縮小表示されて情報の伝達力が低下することを防止できる。
【０１２３】
また、電子ペンをディスプレイ上で移動しながら情報の入力を行う場合、本発明に係る携帯機器は、電子ペンの情報入力を行うための別の支持体が不要であるため、使用者が携帯機器を持って移動中、例えば、徒歩又はバス、地下鉄などのような公共交通機関の利用中にも、情報入力が可能である。
【０１２４】
図９（ｂ）に示された本発明の情報の入力及び伝送方法では、カメラで撮った写真データ又は既に格納されている基本イメージデータに、追加的にメモを書き込んだり絵を描いたりして格納又は伝送することを示している。
【０１２５】
以下、図９（ａ）に示されたステップと同一ステップについては、説明を省略し、図９（ａ）に示されたステップとの差異を重点的に説明する。
【０１２６】
まず、メッセージ入力モードへ進み（Ｓ１０）、電子ペン１０の入力方式を選択した状態（Ｓ２０）で、既に格納されている基本イメージデータを活用するか、それとも、撮像部７を用いて新しい基本イメージデータを生成するかを選択する（Ｓ２１）。
【０１２７】
なお、既に格納されている基本イメージデータとは、撮像部７で生成されてメモリ部３９に格納されているもの、又は、移動体通信事業者のサーバーから移動体通信基地局１０５を通じてダウンロードされたものであり得る。
【０１２８】
既に格納されている基本イメージデータを活用する場合は、ファンクションキー９を用いて基本イメージデータを選択してディスプレイ部３１に表示し（Ｓ２５）、そうでない場合は、撮像部７から新しい基本イメージデータを生成して（Ｓ２３）ディスプレイ部３１に表示する。
【０１２９】
次に、ディスプレイ部３１に表示された基本イメージデータに対して電子ペン１０で新しいイメージデータを入力して基本イメージデータをマッピングする（Ｓ３０、Ｓ４０、Ｓ４５）。
【０１３０】
例えば、図１０（ａ）に示されたように、基本イメージデータである案内図に、電子ペン１０で○を書き込んで“ここです”と書いた発信者の書体が表現されたイメージデータをマッピングすることができる。
【０１３１】
さらに、電子ペン１０から入力されるイメージデータに、蛍光ペン、サインペン、又は、色変更機能などをさらに追加することで、より自由なイメージデータを作成することができる。
【０１３２】
次に、マッピングされた基本イメージデータをメモリ部３９に格納し（Ｓ６０、Ｓ７０）、または、伝送キー６を押して移動体通信基地局１０５を通じて他の端末機１０７に伝送する（Ｓ１００）。
【０１３３】
なお、マッピングされて格納された基本イメージデータを再度ディスプレイ部３１に表示し、再編集後に再び格納できることはいうまでもない。
【０１３４】
従って、通常の案内図をそのまま伝送してから口頭で説明する場合に比べ、より効果的に内容を伝達することができる。
【０１３５】
上記では、基本イメージデータの例として案内図ファイルを挙げているが、基本イメージデータは、これに限定されず、さまざまな写真又は画像ファイルを使用できることは言うまでもない。
【０１３６】
＜情報入力方法の実施例１（図１１）＞
図１１に示された情報入力方法の実施例では、文字、数字などを入力するキーパッドのない携帯機器においてさまざまな入力機能を果たすことを示している。
【０１３７】
まず、使用者が電子ペン１０のスイッチ１８を作動して電源部１５を駆動させるか、又は、先端部１７を紙面に当ててメッセージを入力して圧力センサーを作動して電源部１５を駆動させると、第１の基準信号送信部１１及び第２の基準信号送信部１３から第１の基準信号及び第２の基準信号が送信される（Ｓ１１０）。
【０１３８】
その後、受信された第２の基準信号に対して畳み込み演算及びゼロ交差分析を行って第２の基準信号の受信時間を計算する（Ｓ１２０）。
【０１３９】
データ処理部２５では、第１の基準信号及び第２の基準信号の受信時間を基に電子ペン１０の位置を認識してイメージデータを生成する（Ｓ１３０）。
【０１４０】
生成されたイメージデータは、制御部３５によってディスプレイ部３１に表示される（Ｓ１４０）。
【０１４１】
ボックス認識部１２は、ディスプレイ部３１に表示されたイメージ内の四角形ボックスを認識する（Ｓ１５０）。図１２（ａ）に示されたように、使用者がディスプレイ３１上に四角形ボックスを書くと、ボックス認識部１２は、四角形ボックスを認識する。四角形ボックスが認識されない場合は、Ｓ１１０へ戻る。
【０１４２】
四角形ボックスが認識された場合は、記号認識部１４は、認識された四角形ボックス内の特定記号を認識する（Ｓ１６０）。図１２（ｂ）に示されたように、使用者が四角形ボックス内に三角形、四角形、丸、Ｘ、星などのような特定記号を書くと、記号認識部１４は、特定記号を認識する。特定記号が認識されない場合は、Ｓ１１０へ戻る。
【０１４３】
特定記号が認識された場合は、アプリケーション部１９は、対応する入力機能を活性化する（Ｓ１７０）。図１２（ｃ）に示されたように、特定記号が三角形の場合は、数字入力アプリケーションを、また、特定記号が星の場合は、ＱＷＥＲＴタイプのテキスト入力アプリケーションを活性化する。特定記号と入力機能との対応関係は、既に決定されているため、アプリケーション部１９は、既に決定された対応関係に応じて特定記号に対応する入力機能を活性化する。
【０１４４】
次に、使用者は、ディスプレイ部３１上で電子ペンを用いる入力機能を行う（Ｓ１８０）。すなわち、使用者は、数字キーパッドを通じて数字を入力することができ、ＱＷＥＲＴキーパッドを通じて文字を入力することができる。
【０１４５】
図１１に示された情報入力方法によれば、文字又は数字を入力するキーパッドのない携帯機器においてもさまざまな入力機能を果たすことができる。
【０１４６】
＜情報入力方法の実施例２（図１３）＞
図１３は、図７に示された携帯機器を用いて携帯機器のディスプレイ部でなく、紙の上で情報を入力する方法に関する実施例を示している。図１３に示された情報入力方法は、携帯機器のディスプレイ部でない、メモ帳、ノートなどの紙の上で本発明の入力方式を適用することで使用者の書いたものをイメージ化できる点から、携帯機器のディスプレイ部の上で情報を入力する既存のタッチパッド入力方式と相違している。これは、第１の基準信号部２１と第２の基準信号部２３ａ、２３ｂの受信範囲が図７の携帯機器のディスプレイ部３１に限定されないためである。
【図面の簡単な説明】
【０１４７】
【図１】本発明の電子ペン位置認識方法を示す図である。
【図２】本発明に係る携帯機器の実施例１を示す構成ブロック図（その１）である。
【図３】本発明に係る携帯機器の実施例１を示す構成ブロック図（その２）である。
【図４】図２に示された構成を備える携帯機器の正面図である。
【図５】図３に示された構成を備える携帯機器の正面図である。
【図６】本発明に係る携帯機器の実施例２を示す構成ブロック図である。
【図７】図６に示された構成を備える携帯機器の正面図である。
【図８】本発明に係る携帯機器の実施例２におけるアプリケーション部を示す構成ブロック図である。
【図９】本発明に係る情報の入力及び伝送方法の実施例を示すフローチャートである。
【図１０】本発明に係る情報の入力及び伝送方法の実施例における携帯機器の画面を示す図である。
【図１１】本発明に係る情報入力方法の実施例を示すフローチャートである。
【図１２】本発明に係る情報入力方法の実施例による携帯機器の画面を示す図である。
【図１３】本発明に係る図７の携帯機器を使用して、携帯機器のディスプレイ部の上でなく、紙面上で情報を入力する方法の実施例を示す図である。
【符号の説明】
【０１４８】
１０電子ペン
２０  情報入力部
３１  ディスプレイ部
３５  制御部
３７  無線送受信部
１０５  移動体通信基地局
【図１】
2009524873.tif 000003
【図２】
2009524873.tif 000004
【図３】
2009524873.tif 000005
【図４】
2009524873.tif 000006
【図５】
2009524873.tif 000007
【図６】
2009524873.tif 000008
【図７】
2009524873.tif 000009
【図８】
2009524873.tif 000010
【図９】
2009524873.tif 000011
【図１０】
2009524873.tif 000012
【図１１】
2009524873.tif 000013
【図１２】
2009524873.tif 000014
【図１３】
2009524873.tif 000015
【国際調査報告】
2009524873.tif 000016
2009524873.tif 000017